(57)【要約】【課題】  従来のイメージセンサではロッドレンズアレイは、接着剤などによりフレームに固定されている。したがって、組み立てには、接着剤の塗布工程を必要とし、組み立てコストが高くなるとともに、各部品を固定するための接着剤の固化時間を必要とするなど、組み立て時間効率においても、不利であった。【解決手段】  第１部材１と、第２部材２によってロッドレンズアレイ３を挟持して固定する構造の画像読取ユニットにおいて、弾性材５１，５２をロッドレンズアレイ３の長手方向の端部に設けることにより、ロッドレンズアレイ３をレンズ光軸方向の位置決め部１ｂとレンズ長手方向の位置決め部１ｃに押圧し固定する。【選択図】        図２
2005260660.tif 000002
【特許請求の範囲】
【請求項１】
原稿をガイドする面を有する第１部材と、イメージセンサーアレイを有する基板を保持する第２部材と、前記第１部材と前記第２部材によって挟持されるロッドレンズアレイと、を備えた画像読取ユニットであって、
前記第１部材には、前記ロッドレンズアレイのロッドレンズ光軸方向の位置決め基準面および前記ロッドレンズアレイ長手方向の位置決め基準面を設け、
前記第２部材には、前記ロッドレンズアレイ端部との間に、前記ロッドレンズアレイをロッドレンズ光軸方向およびロッドレンズアレイ長手方向に移動可能に保持し、前記第１部材と前記第２部材が結合されることによって前記ロッドレンズアレイを前記ロッドレンズ光軸方向の位置決め基準面および前記ロッドレンズ長手方向の位置決め基準面に付勢する弾性部材を設けたことを特徴とする画像読取ユニット。
【請求項２】
請求項１に記載の画像読取ユニットにおいて、
前記弾性部材は、前記ロッドレンズアレイをロッドレンズ光軸方向およびロッドレンズアレイ長手方向に付勢する付勢部を一体に形成したことを特徴とする画像読取ユニット。
【請求項３】
請求項１に記載の画像読取ユニットにおいて、
前記第２部材には、前記ロッドレンズアレイと前記弾性部材が該第２部材に挿入されると完全に固定されないが、脱落もしない状態に保持する突起部を形成したことを特徴とする画像読取ユニット。
【請求項４】
請求項１ないし３のいずれかに記載の画像読取ユニットと、前記画像読取ユニットと読み取られるべき原稿との間で、所定の相対移動を行わせる移動機構とを備え、前記画像読取ユニットと前記原稿間の相対移動により、前記原稿の画像を読み取ることを特徴とする画像読取装置。
【発明の詳細な説明】
【技術分野】
【０００１】
本発明は、例えばイメージスキャナ、ファクシミリあるいは複写機等の画像読取装置に係り、特に画像読取部に設けられる画像読取ユニットに関するものである。
【背景技術】
【０００２】
従来の画像読取ユニットの一般的構成を図４示す。
【０００３】
樹脂等でできたケース１１の底面に配置した基板１２には、読み取り幅と対応した長さ範囲に複数個のイメージセンサチップ１３が取付けられている。ケース１１の上面には、透明なカバーガラス１４が取付けられ、このカバーガラス１４に設定した読み取りラインＬと前記イメージセンサチップ１３との間には、前記読み取りラインＬに沿う明暗画像を正立等倍にイメージセンサチップ１３列上に集束させるためのロッドレンズアレイ１５が配置されている。ケース１１の内部空間にはまた、前記カバーガラス１４の裏側から原稿Ｄを照明するための光源としての複数個のＬＥＤ１６が、基板１７に搭載された恰好で配置されている。前記ロッドレンズアレイ１５は、ケース１１の内部に設定された溝状ホルダ部１８に嵌合保持されている。密着イメージセンサ１０は、前述のように種々の部品が組み合わされて構成されているが、前記ロッドレンズアレイ１５は前記ケース１１に対して前記溝状ホルダ部１８に嵌合保持させた状態において、接着固定されていた。例えば、下記特許文献１に示された従来のイメージセンサではロッドレンズアレイは、接着剤によりフレームに固定されている。
【特許文献１】特開平０９−３０７６９６号公報（第４頁、図７）
【発明の開示】
【発明が解決しようとする課題】
【０００４】
しかしながら前記密着イメージセンサ１０の組み立てには、接着剤の塗布や接着剤の固化時間が必要なことなど多くの工程を必要とし、例えば、生産効率において不利であった。また、ロッドレンズアレイをフレームに接着固定することからロッドレンズアレイのみの交換もできなかった。また、接着固定することによりロッドレンズアレイとフレームの線膨張係数の違いから、温度変化によってロッドレンズアレイ自体もしくはセンサユニット全体に歪が発生し読み取り性能が劣化する等の問題も持っていた。
【０００５】
本発明は、このような事情のもとで考え出されたものであって、簡便な構造で組み立て工数を削減し、温度変化による読み取り性能の劣化のない、さらにロッドレンズアレイの交換も容易にできる画像読取ユニットおよびこれを備えた画像読取装置を提供することをその課題としている。
【課題を解決するための手段】
【０００６】
前記課題を解決するため、本発明にあっては、画像読取ユニットを次ぎの（１）ないし（３）のとおりに構成し、画像読取装置を次ぎの（４）のとおりに構成する。
【０００７】
（１）原稿をガイドする面を有する第１部材と、イメージセンサーアレイを有する基板を保持する第２部材と、前記第１部材と前記第２部材によって挟持されるロッドレンズアレイと、を備えた画像読取ユニットであって、
前記第１部材には、前記ロッドレンズアレイのロッドレンズ光軸方向の位置決め基準面および前記ロッドレンズアレイ長手方向の位置決め基準面を設け、
前記第２部材には、前記ロッドレンズアレイ端部との間に、前記ロッドレンズアレイをロッドレンズ光軸方向およびロッドレンズアレイ長手方向に移動可能に保持し、前記第１部材と前記第２部材が結合されることによって前記ロッドレンズアレイを前記ロッドレンズ光軸方向の位置決め基準面および前記ロッドレンズ長手方向の位置決め基準面に付勢する弾性部材を設けた画像読取ユニット。
【０００８】
（２）前記（１）に記載の画像読取ユニットにおいて、
前記弾性部材は、前記ロッドレンズアレイをロッドレンズ光軸方向およびロッドレンズアレイ長手方向に付勢する付勢部を一体に形成した画像読取ユニット。
【０００９】
（３）前記（１）に記載の画像読取ユニットにおいて、
前記第２部材には、前記ロッドレンズアレイと前記弾性部材が該第２部材に挿入されると完全に固定されないが、脱落もしない状態に保持する突起部を形成した画像読取ユニット。
【００１０】
（４）前記（１）ないし（３）のいずれかに記載の画像読取ユニットと、前記画像読取ユニットと読み取られるべき原稿との間で、所定の相対移動を行わせる移動機構とを備え、前記画像読取ユニットと前記原稿間の相対移動により、前記原稿の画像を読み取る画像読取装置。
【発明の効果】
【００１１】
本発明によれば、弾性部材を設けることにより、簡単な構成でロッドレンズアレイをロッドレンズ光軸方向およびロッドレンズアレイ長手方向に付勢、位置決めできるので、組み立て工数やコストを削減する事が可能であるとともに、温度変化による読取性能の劣化も防ぐことができる。また組みあがった状態でロッドレンズアレイの位置が決まるの構造であるため、接着材を使用せずにロッドレンズアレイが固定出来るのでロッドレンズアレイのみの部品交換も可能である。
【発明を実施するための最良の形態】
【００１２】
以下本発明を実施するための最良の形態を、実施例により詳しく説明する。
【実施例１】
【００１３】
図１は、実施例１である“画像読取装置”の構成を示す断面図である。同図において、１００は画像読取装置、１００ａはシートＳを積載収納するシート積載部、１００ｂは画像読取を終えたシートＳを積載収納する排紙積載部、１１０は積載された複数のシートＳを１枚に捌いて装置内部に送り込む給紙搬送装置、１２１から１２４はシートＳを所定の速度で搬送する搬送ローラ、１３１から１３４は１２１から１２４の各搬送ローラに押圧配置された従動ローラ、１４０、１５０は送られてきたシートＳの画像を読み取る表面および裏面画像読取部である。
【００１４】
表面画像読取部１４０はシートＳ面に平行姿勢を保ちつつ略垂直に移動可能に支持され、裏面画像読取部１５０は搬送路上に固定支持されている。
【００１５】
次に、このように構成された画像読取装置１００における画像読取動作について説明する。画像読取動作が開始されると、シート積載部１００ａに載置された複数枚のシートＳは、給紙搬送装置１１０により１枚に捌かれ画像読取装置１００内部に送り込まれる。１枚に捌かれたシートＳは搬送ローラ１２１と従動ローラ１３１で搬送されて、表面および裏面画像読取部１４０、１５０に密着した状態で通過する。
【００１６】
そして、シートＳの表面あるいは裏面に形成された画像は、表面および裏面画像読取部１４０、１５０に臨みながら通過することでライン走査され、電気信号として外部に出力される。このように画像の読み取りが行なわれた後、シートＳは排紙積載部１００ｂへ排出される。
【００１７】
次に図２を用いて、本実施例の画像読取装置の要部である画像読取ユニットを詳細に説明する。１は第１部材である、透明部材２０を保持する読取ガイド、Ｇは通紙面、２は第２部材である読取基台、３はシートＳからの反射光を受光素子に結像するロッドレンズアレイ、３ａ、３ｂはロッドレンズアレイ３のレンズ光軸方向の基準面、３ｃはロッドレンズアレイ３の長手方向の基準面、１ａ、１ｂは読取ガイド１に形成されたロッドレンズアレイ３のレンズ光軸方向の位置決めを行うための基準面で夫々ロッドレンズアレイの基準面３ａ，３ｂが当接する。１ｃは読取ガイド１に形成されたロッドレンズアレイ３の長手方向の位置決めを行うための基準面でロッドレンズアレイ３の長手方向の基準面３ｃが当接する。１ｄは読取ガイド１に形成された読取基台２の組み付け基準となる基準穴、１ｅはロッドレンズアレイ３が読取ガイド１に挿入されるさいの挿入ガイド面、２ｄは読取基台２に形成された読取ガイド１に設けた組み付け基準穴１ｄと組み合うボス、４は光を電気信号に変換するイメージセンサでイメージセンサーアレイを有している。５１，５２は、ロッドレンズアレイ３を基準面１ａ、１ｂ、１ｃに押し当てる、図示断面形状の弾性部材で、その一方の端部は、ロッドレンズアレイ３の端部が嵌め込めるように、２股形状に形成されている。
【００１８】
図３はロッドレンズアレイ３が読取基台２に挿入され、かつ部材１と部材２が組み立てられていない状態を示す断面図である。Ｎはボス２ｄのレンズ光軸方向の中心から基準面３ｃまでの距離、Ｍは基準穴１ｄのレンズ光軸方向の中心から基準面１ｃまでの距離である。この状態では距離Ｎは距離Ｍよりも短くなるような構成をとることとする。
【００１９】
次に、このよう構成された読取ユニット部の組み立ての順序を説明する。ロッドレンズアレイ３の端部に弾性材５１，５２をはめ込み、そのあとで読取基台２に挿入する。読取基台２には突起部２ａ、２ｂが設けられており、ロッドレンズアレイ３と弾性部材５１，５２はこの突起により一旦読み取り基台２に挿入されると完全に固定されないが、脱落もしない状態となる。次に読取基台２を読取ガイド１に組み込む。このとき、距離Ｎは距離Ｍよりも短いためロッドレンズアレイ３はガイド１ｅによって矢印Ｐ方向に移動する。その後読取ガイド１に形成された基準面１ｃがロッドレンズアレイ３の基準面３ｃを押す位置までロッドレンズアレイ３が移動する。さらに押し込むとロッドレンズアレイ３の基準面３ａ、３ｂが読取ガイド１の基準面１ａ、１ｂに接する状態となる。そのまま最後まで押し込むとロッドレンズアレイ３は弾性部材５１，５２によってロッドレンズアレイ３の基準面３ａ、３ｂ、３ｃが夫々読取ガイドの基準面１ａ、１ｂ、１ｃに押し付けられた状態になる。ロッドレンズアレイ３は基準面１ｃと３ｃによって矢印Ｐ方向に移動せしめられるので、弾性材５２はロッドレンズアレイ３の長手方向の押圧力が弾性材５１より減少し、その結果対向側の弾性材５１によって常にロッドレンズアレイ３は基準面１ｃに押圧される。読取ガイド１と読取基台２はビス３００によって締結固定され組み立てが完了する。
【００２０】
以上説明したように、本実施例によれば、弾性部材を設けることにより、簡単な構成でロッドレンズアレイをロッドレンズ光軸方向およびロッドレンズアレイ長手方向に付勢、位置決めできるので、組み立て工数やコストを削減する事が可能であるとともに、温度変化による読取性能の劣化も防ぐことができる。また組みあがった状態でロッドレンズアレイの位置が決まるの構造であるため、接着材を使用せずにロッドレンズアレイが固定出来るのでロッドレンズアレイのみの部品交換も可能である。
【図面の簡単な説明】
【００２１】
【図１】実施例１である画像読取装置の構成を示す断面図
【図２】実施例１における画像読取ユニットの主要な構成を示す断面図
【図３】実施例１における部材１と部材２が組み立てられていない状態を示す断面図
【図４】従来例である画像読取ユニットの概略構成を示す断面図
【符号の説明】
【００２２】
１    第１部材
２    第２部材
３    ロッドレンズアレイ
５１，５２    弾性部材
【図１】
2005260660.tif 000003
【図２】
2005260660.tif 000004
【図３】
2005260660.tif 000005
【図４】
2005260660.tif 000006